(57)【要約】【課題】この考案の課題は、人間と非接触状態において人間に帯電した静電気を除去でき、静電気が除去されたことを視認することができ、広い分野・範囲において使用することができる簡素な構造を有する静電気除去器を提供することにある。【解決手段】絶縁材料からなるケース内に、絶縁層を介して対向して配置された第一導電部と第二導電部とからなる放電手段と、前記放電手段の前記第一導電部と前記第二導電部の何れか一方と接続された端子を有する少なくとも一つ以上の発光手段と、前記発光手段と接続されていない、前記放電手段の前記第一導電部または前記第二導電部の何れか一方と接続された電極部を有する電池手段とが固定され、前記電池部の前記放電手段と接続されていない他の電極部と前記発光手段の前記放電手段と接続されていない他の端子とが接続されていることを特徴とする。【選択図】図３
0003140620.tif 000002
【実用新案登録請求の範囲】
【請求項１】
絶縁材料からなるケース内に、
絶縁層を介して対向して配置された第一導電部と第二導電部とからなる放電手段と、
前記放電手段の前記第一導電部と前記第二導電部の何れか一方と接続された端子を有する少なくとも一つ以上の発光手段と、
前記発光手段と接続されていない、前記放電手段の前記第一導電部または前記第二導電部の何れか一方と接続された電極部を有する電池手段とが固定され、
前記電池部の前記放電手段と接続されていない他の電極部と前記発光手段の前記放電手段と接続されていない他の端子とが接続されていることを特徴とする静電気除去器。
【請求項２】
請求項１に記載の静電気除去器において、
前記発光手段は二つ以上であり、前記発光手段を点滅させる制御手段が更に含まれることを特徴とする静電気除去器。
【請求項３】
請求項１または２に記載の静電気除去器において、
前記制御手段は、前記放電手段によって、電荷が放電された後も予め定められた期間にわたって前記発光手段を発光させることを特徴とする静電気除去器。
【請求項４】
請求項１乃至３の何れか一項に記載の静電気除去器において、
前記絶縁材料からなる前記ケースは、グリップ形状となっていることを特徴とする静電気除去器。
【請求項５】
請求項１乃至４の何れか一項に記載の静電気除去器において、
前記ケースには、カギを保持するためのカギ保持具が取り付けられ、前記カギ保持具には、前記カギの差込方向に向かって照射可能なライトが取り付けられ、前記ライトは前記カギ保持具に固定されたスイッチによってオン／オフ制御されることを特徴とする静電気除去器。
【請求項６】
請求項１乃至４の何れか一項に記載の静電気除去器において、
前記ケースには、カギを保持するためのカギ保持具が取り付けられ、前記ケースには、前記カギの差込方向に向かって照射可能なライトが取り付けられ、前記ライトは前記ケースに固定されたスイッチによってオン／オフ制御されることを特徴とする静電気除去器。
【考案の詳細な説明】
【技術分野】
【０００１】
本考案は、日常生活中の人体に発生した電荷（静電気）を、簡単にかつ確実に除去することが可能な静電気除去器に関する。
【背景技術】
【０００２】
日常生活において、例えば人間が歩くと、着衣との摩擦等によって静電気が発生する。また、建物の廊下やロビー等にはカーペットが敷かれており、カーペットの上を歩くことによっても身体に静電気が発生する。これらの静電気は、
自然放電されずに人体や着衣に電荷として蓄積される。その結果、部屋の入口、門戸、扉の取手、エレベータの操作盤、車両のドアの取手、金属家具等に手を触れると、人体又は着衣に帯電していた電荷（静電気）が急減に放電されて、人体に強い衝撃を与える。
また、パーソナルコンピュータや携帯電話等の電子機器には、集積回路や電子部品が数多く用いられている。そして、帯電した人間が電子機器に接近したり、触れた場合、電荷が電子機器において静電誘導される。電子機器に蓄積された電荷が電子機器を構成する電子部品の耐圧を超えて一気に放電されると、放電電圧が数キロボルトを超えることもあるので、このような高い放電電圧は電子機器の誤動作や故障の原因となる。
【０００３】
電荷（静電気）の放電の際、人体に生ずる衝撃を緩和する方法として、一般的には、高抵抗回路（一例としての抵抗器を含むいわゆるサージ吸収回路等）を介して接地（アース）された静電気除去器を使用し、この静電気除去器に人間（通常は指先など）が触れることで電荷（静電気）を大地へと流す方法を挙げることができる。
電子機器に関しては、高い放電電圧の発生を抑制するために、放電電流を抑えるコイルや抵抗器、静電気パルスを吸収するコンデンサやツェナーダイオード等を組み合わせて成る静電気除去回路を電子機器に組み込む方法を挙げることができる。また、例えば搬送時の摩擦によって帯電した帯電物（一例を挙げれば、帯電したフィルムや電子部品等）における静電気除去のために、コロナ放電によって帯電物の付近の雰囲気をイオン化するためにイオンガス群を発生させる交流電圧印加式除電装置を使用する方法が知られている。
【０００４】
特開平１０−３１６３２１号公報（例えば、第３頁、図１、図２参照）には、エレベータの乗場操作盤に関して、静電気吸収プレートを非常に高抵抗の抵抗器を介してアースした構成が開示されている。この特許公開公報に開示された技術によれば、抵抗器が無い場合に比べて、静電気の電圧が、瞬時ではなく長時間にわたって抵抗器に加わるので、人体が受ける衝撃を軽減できるとされている。
ついで特開平２００１−３５６８４号公報（例えば、第２頁参照）には、構造物の金属部分や車のドア等に、接触部材を介してアースする方法が開示されている。静電気を放電する回路に抵抗器を含むいわゆるサージ吸収回路を組み込み、急激な放電を緩和する。
特開平０１−２５１５９８号公報（例えば、第２頁参照）には、導電性繊維に導電性を有する物質を付着させ、アースすること無く、静電気を除去する技術が開示されている。
特開平０５−１７４３７６号公報（例えば、第２頁、及び、第４頁、図１参照）には、イオン生成電極に高圧電源から高電圧を印加して空気をイオン化するイオン発生装置を使用して、ポリエチレンテレフタレートフィルム（ＰＥＴフィルム）に帯電した電荷を中和させる方法が開示されている。
また特開２０００−２６２３０３号公報（例えば、第１頁）には、工場における静電気対策の１つとして、リスト・ストラップと呼ばれる製品が開示されている。
【０００５】
【特許文献１】特開平１０−３１６３２１号公報
【特許文献２】特開平２００１−３５６８４号公報
【特許文献３】特開平０１−２５１５９８号公報
【特許文献４】特開平０５−１７４３７６号公報
【特許文献５】特開２０００−２６２３０３号公報
【考案の開示】
【考案が解決しようとする課題】
【０００６】
しかしながら、着衣に帯電した電荷（静電気）を放電する経路に高抵抗器や導電材料等を介在させることで急激な放電を緩和する従来の静電気除去器を使用した静電気除去方法においては、大地への接地を前提とした放電回路が形成され、人体も放電回路の構成要素の一部となるため、放電時、人間によっては相当の衝撃がある。また、この従来の方法は、常に接地された静電気除去器に人間が接触しなければならないといった不便さがある。しかも、人間の帯電状態は千差万別であり、わずかしか帯電しない人間もいれば、大量に帯電する人間もいる。そして、大量に帯電する人間は、従来の静電気除去器を使用する静電気除去方法（接地する方式）においては、衝撃を避けることができない場合がある。
【０００７】
また、静電気除去回路を電子機器に組み込む方法においても、常に静電気除去回路を接地しておかなければならないといった問題がある。更には、電子機器の場合、接地することで、逆に大地からのノイズを拾い、電子機器の動作に支障をきたす場合がある。特に、近年の携帯電話の普及は著しいが、携帯電話の性質上、アースを取ることは難しく、人体に帯電した静電気に起因したと考えられる故障が発生している。コロナ放電によって帯電物付近の雰囲気をイオン化することで帯電物の静電気を除去する方法において使用される交流電圧印加式除電装置は高価であるし、イオンガス群発生のための電力の供給を必要としている。
【０００８】
特開平１０−３１６３２１号公報に開示された技術にあっては、漏電等が発生した場合の危険性といった問題や、除電状態が告知されないため、除電が確実に行われたか否かを判断することが難いといった問題がある。
特開平２００１−３５６８４号公報に開示された技術においては、人間によっては衝撃を受ける場合があるし、接触部材を接触させるべき構造物の金属部分や車のドア等を捜さなければならないといった不便さがある。
特開平０１−２５１５９８号公報に開示された技術においては、空中放電によって静電気を除去させるので、静電気を除去する場所の近傍に、引火性のガスや有機溶剤等が存在する場合、爆発や引火の危険ある。従って、使用個所に制限がある。
【０００９】
特開平０５−１７４３７６号公報に開示された技術においては、高価なイオン発生装置が必要とされるし、イオン発生のための電力が必要とされる。
特開２０００−２６２３０３号公報に開示された技術においては、リスト・ストラップを接地する必要があるし、接地のための配線（コード）が付属しており、作業上、不便である。
従って、本考案の目的は、人間（人体の一部）と機器本体部が非接触状態において、人間に帯電した静電気を除去でき、その静電気が除去された状況を視認することができ、広い分野・範囲において使用することができる簡素な構造を有する静電気除去器を提供することにある。
【課題を解決するための手段】
【００１０】
前記課題を解決するために、請求項１に記載の考案では、絶縁材料からなるケース内に、絶縁層を介して対向して配置された第一導電部と第二導電部とからなる放電手段と、前記放電手段の前記第一導電部と前記第二導電部の何れか一方と接続された端子を有する少なくとも一つ以上の発光手段と、前記発光手段と接続されていない、前記放電手段の前記第一導電部または前記第二導電部の何れか一方と接続された電極部を有する電池手段とが固定され、前記電池部の前記放電手段と接続されていない他の電極部と前記発光手段の前記放電手段と接続されていない他の端子とが接続されていることを特徴とする。
【００１１】
上記の本考案に係る静電気除去器は、バリスタ等の放電手段、発光ダイオード等の発光手段及びリチウム電池、アルカリ電池、水銀電池、ニッケルーカドニウム電池等の電池手段が絶縁材料であるケースの内部に固定されているので、人間が直接放電手段に接触することはない。また静電気除去器にはアースが接続されていない。従って、静電気に帯電した人間が静電気除去器を握った場合であっても、人体と静電気除去器を介して人体に激痛が走ることはない。
これは、帯電した人や物体、物品である静電気帯電体を第一導電部に近づけると、第一導電部及び第二導電部に電荷が静電誘導され、そして、静電誘導された電荷が、誘電分極によって第一導電部と第二導電部との間に蓄電された後、第一導電部及び第二導電部が接地されていない状態で、放電手段によって放電されるからである。従って、その後、例えば人が他の金属部材（一例として、部屋の入口、門戸、扉の取手、エレベータの操作盤、車両のドアの取手、金属家具）に接触しても、人体に激痛が走ることはない。あるいは、物体または物品と他の金属部材との間で放電が生じることもない。
【００１２】
しかし、例えば第一導電部または第二導電部が接地されていると、たとえ、静電気除去器が、絶縁層を介して対向して配置された第一導電部及び第二導電部によって構成される放電手段を備えていても、電荷が瞬時に大地へと流れる結果、多くの場合、人体に激痛が走る。本考案にあっては、第一導電部及び第二導電部が接地されておらず、電荷は放電手段において熱や光として消耗され、しかも、人体が放電回路の構成要素の一部となることが無いので、人体に激痛が走ることはない。
また上記の本考案に係る静電気除去器は、発光手段を備えているので、人体に帯電した電荷が放電した場合には、この発光手段が光る。従って、人間は静電気除去器によって人体に帯電した電荷が放電したか否かを容易に視覚的に確認することができるので、放電を確認した後に、安心して他の金属部材（一例として、導電性の部屋の入口、門戸、扉の取手（ノブ）、エレベータの操作盤、車両のドアの取手、金属家具など）に触ることが可能になる。
【００１３】
前記課題を解決するために、請求項２に記載の考案では、請求項１に記載の静電気除去器において、前記発光手段は二つ以上であり、前記発光手段を点滅させる制御手段が更に含まれることを特徴とする。
上記の本考案に係る静電気除去器によれば、発光ダイオード等の発光手段が二つ以上あり、発光手段の点滅は人間の目によって視認することが可能な時間間隔で点滅する構成となっている。したがって、静電気除去器によって確実に人間に帯電した電荷が放電されたか否かをより確実に視認することができるようになる。
また、二つ以上の発光手段が点滅によって視認されるので、人間の目によって放電の有無を確認することがより容易になる。例えば、二つ以上の発光手段を一列に配置し、隣り合う二つ以上の発光手段を端から順番に点灯させ隣の発光手段が点灯したら点灯していた発光手段の発光を止めるなどの点滅パターンを形成すれば、より人間の目による放電の有無の確認が容易になる。さらに、二つ以上の発光手段の発光色が異なる場合、また、二つ以上の発光手段を交互に点滅させる場合は、人間の目による視認性をより一層向上させることが可能になる。
【００１４】
前記課題を解決するために、請求項３に記載の考案では、請求項１または２に記載の静電気除去器において、前記制御手段は、前記放電手段によって、電荷が放電された後も予め定められた期間にわたって前記発光手段を発光させることを特徴とする。
上記の本考案に係る静電気除去器によれば、静電気の放電がわずかな時間であっても、制御手段が発光手段からの発光を人間が視認できる間だけ維持するように構成されている。したがって、確実に人間の目によって放電状況の有無を確認することができる。すなわち、予め定められた時間とは、人間が視認するために充分な時間であり、この予め定められた時間が、制御回路内における各素子の値によって決まる固定値であったり、制御回路内に組み込まれた回路構成であったり、制御回路内に組み込まれたプログラムであってもよい。
【００１５】
前記課題を解決するために、請求項４に記載の考案では、請求項１乃至３の何れか一項に記載の静電気除去器において、前記絶縁材料からなる前記ケースは、グリップ形状となっていることを特徴とする。
上記の本考案に係る静電気除去器によれば、静電気除去器の外形形状が人間の手によって握られやすいグリップ形状に構成されている。したがって、キー及びドアのノブ等を触ることになる手で、事前に静電気除去器を容易に握ることができるので、ヒューマンインターフェースに優れた静電気除去器を提供することができる。また、グリップ形状には、人間の指の形状に合った溝が構成されていると、より一層握り心地がよくなり、ヒューマンインターフェースに優れた静電気除去器を提供することができる。
【００１６】
前記課題を解決するために、請求項５に記載の考案では、請求項１乃至４の何れか一項に記載の静電気除去器において、前記ケースには、カギを保持するためのカギ保持具が取り付けられ、前記カギ保持具には、前記カギの差込方向に向かって照射可能なライトが取り付けられ、前記ライトは前記カギ保持具に固定されたスイッチによってオン／オフ制御されることを特徴とする。
【００１７】
前記課題を解決するために、請求項６に記載の考案では、請求項１乃至４の何れか一項に記載の静電気除去器において、前記ケースには、カギを保持するためのカギ保持具が取り付けられ、前記ケースには、前記カギの差込方向に向かって照射可能なライトが取り付けられ、前記ライトは前記ケースに固定されたスイッチによってオン／オフ制御されることを特徴とする。
【００１８】
上記の請求項5及び6に記載の静電気除去器によれば、静電気除去器にはカギを保持するカギ保持具が取り付けられている。したがって、車のカギなどをカギ保持具に保持させておけば、車のエンジンをかける場合にわざわざ静電気除去器に人体の一部を接触させる必要がなく、使い勝手のよい（ヒューマンインターフェースに優れた）静電気除去器を提供することができるようになる。また、カギ保持具にドアのキーなどを差し込んで保持させておけば、ドアを開ける場合にカギを握ろうとすれば静電気除去器を触り、人体に帯電した静電気がカギを開ける前に、自然に放電されるので、より使い勝手がよく、より利便性の高い（ヒューマンインターフェースにより優れた）静電気除去器を提供することができる。
【００１９】
また、前記カギ保持具または前記ケースには、前記カギの差込方向に向かって照射可能なライトが取り付けられ、前記ライトは前記カギ保持具または前記ケースに固定されたスイッチによってオン／オフ制御されるので、暗闇においてカギをドアに差し込む場合にも容易にカギの差し込み口が判るので、より使い勝手がよく、より利便性の高い（ヒューマンインターフェースにより優れた）静電気除去器を提供することができる。
【考案の効果】
【００２０】
上記の請求項１に記載の考案によれば、バリスタ等の放電手段、発光ダイオード等の発光手段及びリチウム電池、アルカリ電池、水銀電池、ニッケルーカドニウム電池等の電池手段が絶縁材料であるケースの内部に固定されているので、人間が直接放電手段に接触することはない。また静電気除去器にはアースが接続されていない。従って、静電気に帯電した人間が静電気除去器を握った場合でも、人体と静電気除去器を介して人体に激痛が走ることはない。
【００２１】
それは、帯電した人や物体、物品である静電気帯電体を第一導電部に近づけると、第一導電部及び第二導電部に電荷が静電誘導され、そして、静電誘導された電荷は、誘電分極によって第一導電部と第２の導電部との間に蓄電された後、第一導電部及び第二導電部が接地されていない状態で、放電手段によって放電されるからである。従って、その後、例えば人が他の金属部材（一例として、部屋の入口、門戸、扉の取手、エレベータの操作盤、車両のドアの取手、金属家具など）に接触しても、人体に激痛が走ることはない。あるいは、物体や物品と他の金属部材との間で放電が生じることもない。
【００２２】
しかし、例えば第一導電部または第二導電部が接地されていると、たとえ、静電気除去器が、絶縁層を介して対向して配置された第１の導電部及び第２の導電部によって構成される放電手段を備えていても、電荷が瞬時に大地へと流れる結果、多くの場合、人体に激痛が走る。本考案にあっては、第一導電部及び第二導電部が接地されておらず、電荷は放電手段において熱や光として消耗され、しかも、人体が放電回路の構成要素の一部となることが無いので、人体に激痛が走ることはない。
【００２３】
また上記の本考案に係る静電気除去器は、発光手段を備えているので、人体に帯電した電荷が放電した場合には、この発光手段が光る。従って、人間は静電気除去器によって人体に帯電した電荷が放電したか否かを容易に視覚的に確認することができるので、放電を確認した後に、安心して他の金属部材（一例として、導電性の部屋の入口、門戸、扉の取手（ノブ）、エレベータの操作盤、車両のドアの取手、金属家具など）に触ることが可能になる。
【００２４】
請求項２に記載の考案によれば、発光ダイオード等の発光手段が二つ以上あり、発光手段の点滅は人間の目によって視認することが可能な時間間隔で点滅する構成となっている。したがって、静電気除去器によって確実に人間に帯電した電荷が放電されたか否かをより確実に視認することができるようになる。
また、二つ以上の発光手段が点滅によって視認されるので、人間の目によって放電の有無を確認することがより容易になる。例えば、二つ以上の発光手段を一列に配置し、隣り合う二つ以上の発光手段を端から順番に点灯させ隣の発光手段が点灯したら点灯していた発光手段の発光を止めるなどの点滅パターンを形成すれば、より人間の目による放電状況の有無の確認が容易になる。さらに、二つ以上の発光手段の発光色が異なる場合、また、二つ以上の発光手段を交互に点滅させる場合は、人間の目による視認性をより一層向上させることが可能になる。
【００２５】
請求項３に記載の考案によれば、静電気の放電がわずかな時間であっても、制御手段が発光手段からの発光を人間が視認できる間だけ維持するように構成されている。したがって、確実に人間の目によって放電状況の有無を確認することができるようになる。すなわち、予め定められた時間とは人間が視認するために充分な時間であり、制御回路内における各素子の値によって決まる固定値であったり、制御回路内に組み込まれた回路構成であったり、制御回路内に組み込まれたプログラムであってもよい。
【００２６】
請求項４に記載の考案によれば、静電気除去器の外形形状が人間の手によって握られやすいグリップ形状に構成されている。したがって、キー及びドアのノブ等を触ることになる手で、事前に静電気除去器を容易に握ることができるので、ヒューマンインターフェースに優れた静電気除去器を提供することができる。また、グリップ形状には、人間の指の形状に合った溝が構成されていると、より一層握り心地がよくなり、よりヒューマンインターフェースに優れた静電気除去器を提供することができる。
【００２７】
請求項５及び6に記載の考案によれば、車のカギなどをカギ保持具に保持させておけば、車のエンジンをかける場合にわざわざ静電気除去器に人体の一部を接触させる必要がなく、使い勝手のよい（ヒューマンインターフェースに優れた）静電気除去器を提供することができるようになる。また、カギ保持部にドアのキーなどを差し込んで保持させておけば、ドアを開ける場合にカギを握ろうとすれば必然的に静電気除去器に触れ、人体に帯電した静電気がカギを開ける前に、自然に放電されるので、より使い勝手がよく、より利便性の高い（ヒューマンインターフェースにより優れた）静電気除去器を提供することができるようになる。
【００２８】
また、前記カギ保持具または前記ケースには、前記カギの差込方向に向かって照射可能なライトが取り付けられ、前記ライトは前記カギ保持具または前記ケースに固定されたスイッチによってオン／オフ制御されるので、暗闇においてカギをドアに差し込む場合にも容易にカギの差し込み口が判るので、より使い勝手がよく、より利便性の高い（ヒューマンインターフェースに優れた）静電気除去器を提供することができるようになる。
【考案を実施するための最良の形態】
【００２９】
以下添付図面に基づいて、本考案に係る静電気除去器の一実施形態を詳説する。
図１（ａ）は、本考案の実施形態の静電気除去回路の一例を示すブロック図であり、同（ｂ）は、本考案の実施形態の他の一例を示す静電気除去回路のブロック図である。図２は、本考案の実施形態の静電気除去器の外観を示す図である。また図３は、静電気除去器の他の実施形態である。
【００３０】
図１（ａ）は、本考案の実施形態の静電気除去回路Ｃの一例であり、バリスタ等の放電手段としての放電部１（第一導電部１ａ及び第二導電部１ｃが絶縁層１ｂを介して対向して配置されている）、発光ダイオード等の発光手段２（図１（ａ）では、発光ダイオード２ａ、発光ダイオード２ｂ及び発光ダイオード２ｃの３つの発光ダイオードを示しているが発光ダイオードの個数は図面に示した３つの場合に限られるわけではなく、１個以上であればいくつであってもよい）、リチウム電池、アルカリ電池、水銀電池及びニッケルーカドニウム電池等の電池手段としての電池部３、発光ダイオード２ａ、発光ダイオード２ｂ及び発光ダイオード２ｃの３つの発光ダイオードの点滅タイミングを制御する制御手段としての制御回路部４、制御回路部４からの制御信号に基づいて発光ダイオード２ａ、発光ダイオード２ｂ及び発光ダイオード２ｃの３つの発光ダイオードを点滅させるための制御回路手段に含まれるスイッチ部５（制御回路部４の制御に基づきスイッチ部５ａがＯＮ状態またはＯＦＦ状態になり、スイッチ部５ａがＯＮ状態の場合に発光ダイオード２ａは点灯し、スイッチ部５ａがＯＦＦ状態の場合に発光ダイオード２ａは消灯する。制御回路部４の制御に基づきスイッチ部５ｂがＯＮ状態またはＯＦＦ状態になり、スイッチ部５ｂがＯＮ状態の場合に発光ダイオード２ｂは点灯し、スイッチ部５ｂがＯＦＦ状態の場合に発光ダイオード２ｂは消灯する。制御回路部４の制御に基づきスイッチ部５ｃがＯＮ状態またはＯＦＦ状態になり、スイッチ部５ｃがＯＮ状態の場合に発光ダイオード２ｃは点灯し、スイッチ部５ｃがＯＦＦ状態の場合に発光ダイオード２ｃは消灯する。）から構成され、絶縁材料であるケースＡの内部に固定されている。
【００３１】
人体に帯電した電荷からケースＡを介して放電部１の第一導電部１ａまたは第二導電部１ｃに静電誘導された電荷と、絶縁層１ｂを介して対向する第二導電部１ｃまたは第一導電部１ａに誘電分極によって生じた電荷とは、絶縁層１ｂが低抵抗になることにより電流として絶縁層１ｂを流れ熱となって消費されるとともに、電池部３の電圧が低抵抗となった絶縁層１ｂを介して発光ダイオード２にかかるので、電池部３の電圧に基づく電流が発光ダイオード２を流れることによって発光ダイオード２が点灯する。発光ダイオード２は制御回路部４の制御によってスイッチ部５が開閉（ＯＮ／ＯＦＦ）することによって、点灯及び消灯する（点滅する）。また、放電部１の絶縁層１ｂが低抵抗になっている間は、電池部３から発光ダイオード２へ電流が供給されるので、発光ダイオード２は点灯し続けることができる。
【００３２】
ここで、放電部１を構成するバリスタは、印加電圧（人体に帯電した電荷が多くなれば印加電圧に相当する電圧が上昇する）の上昇に伴い、非直線的に抵抗値が減少する二端子素子である。即ち、バリスタは、放電開始電圧まではほぼ絶縁物と同等な高抵抗であるが、印加される電圧が放電開始電圧を超えると急激に抵抗値が減少し、ほぼ導通状態となる二端子素子である。人間に帯電した電荷が第一導電部１ａまたは第二導電部１ｃに静電誘導され、そして、誘電分極によって蓄電（蓄積）された電荷は、バリスタの内部抵抗によって熱として消耗される。即ち、静電気は、電圧としては非常に高いが、電流値は非常に少ないので、バリスタの内部抵抗で充分に、消耗される。具体的には、バリスタは、ダイオードバリスタ（亜酸化銅バリスタ、セレンバリスタ、シリコンバリスタ、シリコンツェナーダイオード）と、セラミックバリスタ（酸化亜鉛バリスタ、チタン酸バリウムバリスタ、シリコンカーバイドバリスタ）とに分類することができる。本考案にあっては、限定するものではないが、静電気除去器の小型化といった観点から、バリスタとしてセラミックバリスタを使用することが好ましい。また、本考案において、静電気除去器を携帯型とする場合には、主にチップバリスタを使用し、取付型（固定型）とする場合には、出来るだけ大型タイプのバリスタを使用することが望ましい。
【００３３】
発光ダイオード２はＬＥＤ（Light Emission Diode）とも略して称し、低消費電力、低電圧動作、発熱が少なく、寿命が長い等の特徴があり、発光体として好ましいものである。発光ダイオード２ａ、２ｂ、２ｃは普通のダイオードと同じくＰＮ接合をもち、順方向のバイアスを加えると、電子と正孔の再結合によって発光現象を生じる半導体素子である。半導体化合物としてはガリウム・ヒ素、ガリウム・リン、ガリウム・ヒ素にガリウム・リンを加えたものが一般に使用される。発光ダイオード２ａ、２ｂ、２ｃの形状は任意であるが一般的な透明レンズタイプが好ましい。
【００３４】
電池部３は、制御回路部４並びにスイッチ部５ａ、５ｂ、５ｃを動作させるため、及び、発光ダイオード２ａ、２ｂ、２ｃを点灯させるための電源である。電池部３の電池としては市販の汎用電池が使用できる。形状はボタン型電池、コイン型電池、円筒型電池が使用できる。電池の種類としてはマンガン電池、水銀電池、銀電池、アルカリ電池、リチウム電池、空気電池などの一次電池、そしてニッケル−カドミウム電池、鉛電池、リチウムイオン電池などの２次電池が使用できる。
【００３５】
制御回路部４は放電部１において放電が発生した場合に、発光ダイオード２ａ、２ｂ、２ｃを点灯させるスイッチ部５をＯＮ／ＯＦＦするための制御回路として使用されるデジタルＩＣ（Integrated Circuit）である。またスイッチ部５ａ、５ｂ、５ｃもデジタルＩＣである。
一般的なデジタルＩＣとしてはＴＴＬ方式のものとＣＭＯＳ方式のものとがある。ただしＴＴＬ方式のデジタルＩＣは入力側のインピーダンスが低く電流が流れやすいため、消費電流が大きい欠点があり、作動させるための電源は５Ｖのものが必要である。これに対して、ＣＭＯＳは２Ｖ〜６Ｖで作動するため汎用電池が使用でき好ましい。
【００３６】
また、制御回路部４は一定周期でＯＮ／ＯＦＦを繰り返すマルチバイブレータ回路（図示せず）とフリップフリップ回路（図示せず）が含まれる構成としてもよい。この場合にはマルチバイブレータ回路のＯＮ／ＯＦＦ出力に対応してフリップフリップ回路の出力状態が変化（HighとLowの繰り返し）し、フリップフリップ回路の出力状態の変化に対応して、フリップフリップ回路に接続されたスイッチ部５ａ、５ｂ、５ｃのＯＮ／ＯＦＦが繰り返される（フリップフリップ回路の出力状態がHighまたはLowのいずれかの場合にスイッチ部５がＯＮ状態になり、フリップフリップ回路の出力状態がその反対のLowまたはHighのいずれかの場合にスイッチ部５がＯＦＦ状態になる。）ので発光ダイオード２ａ、２ｂ、２ｃが点滅を繰り返す。
また、制御回路部４にタイマー回路（図示せず）が含まれる構成とすることも可能である。この場合には、タイマー回路に設定された周期で発光ダイオード２を点滅させることができる。
さらに、制御回路部４にプログラムを組み込んでおき、発光ダイオード２の点滅間隔をプログラムによって制御するように構成することも可能である。
【００３７】
スイッチ部５は、アナログＩＣによって構成されるアナログスイッチ回路である。制御回路部５の出力（ＯＮまたはＯＦＦの出力状態）に対応してスイッチ部５の両端間の抵抗を高抵抗または低抵抗とする。放電部１の絶縁層１ｂが低抵抗であり、スイッチ部５の両端間の抵抗が低抵抗である場合には、直列に接続された発光ダイオード２が発光する。放電部１の絶縁層１ｂが低抵抗でありスイッチ部５ａの両端間が低抵抗である場合には、発光ダイオード２ａが点灯し、放電部１の絶縁層１ｂが低抵抗でありスイッチ部５ｂの両端間が低抵抗である場合には、発光ダイオード２ｂが点灯し、放電部１の絶縁層１ｃが低抵抗でありスイッチ部５ｃの両端間が低抵抗である場合には、発光ダイオード２ｃが点灯する。
【００３８】
静電気除去回路Ｃを密閉するケースＡを形成する絶縁材料には汎用性樹脂が使用できる。具体的には、ポリエチエン、ポリプロピレン、ポリアミド、ポリスチレン、ポリエステル、ポリウレタン、ポリカーボネート、ポリ塩化ビニール、ポリエポキシ、ポリアクリロニトリル、アクリルニトリル−ブタジエン−スチレン共重合体、アクリルニトリル−スチレン共重合体などの熱可塑性樹脂又は熱硬化性樹脂が挙げられる。ケースＡは、これらの樹脂を射出成形などの方法によって形成することが出来る。
このように静電気除去回路ＣがケースＡに内蔵されているので、人間は静電気除去器Ｒに直接接触することなく（非接触にて）、人体に帯電した静電気を放電することが可能になる。また、発光ダイオード２には電源があるので、放電部１が低抵抗の間は発光ダイオード２を発光させることが可能になる。
また、静電気除去器Ｒには、上記以外に、例えば、機械的に回路を接続、切断する手動スイッチを付加することもできる。この手動スイッチを設けることによって、静電気入力がない時に、発光ダイオード２を強制的に手動点灯させ、電池部３の電池のバッテリーチェックを行ったり、照明にも使用したりすることも可能になる。
【００３９】
図１（ｂ）は、本考案の実施形態の他の一例を示す静電気除去回路のブロック図であり、バリスタ等の放電手段としての放電部１（第一導電部１ａ及び第二導電部１ｃが絶縁層１ｂを介して対向して配置されている）、発光ダイオード等の発光手段２（図１（ｂ）では、発光ダイオード２ａ、発光ダイオード２ｂ及び発光ダイオード２ｃの３つの発光ダイオードを示しているが発光ダイオードの個数は図面の３つの場合に限られるわけではなく、１個以上であればいくつであってもよい）、リチウム電池、アルカリ電池、水銀電池及びニッケルーカドニウム電池等の電池手段としての電池部３、発光ダイオード２ａ、発光ダイオード２ｂ及び発光ダイオード２ｃの３つの発光ダイオードの点滅タイミングを制御する制御手段としての制御回路部４、制御回路部４からの制御信号に基づいて発光ダイオード２ａ、発光ダイオード２ｂ及び発光ダイオード２ｃの３つの発光ダイオードを点滅させるための制御回路手段に含まれるスイッチ部５（制御回路部４の制御に基づくスイッチ部５ａのＯＮ／ＯＦＦに応じて発光ダイオード２ａは点滅し、制御回路部４の制御に基づくスイッチ部５ｂのＯＮ／ＯＦＦに応じて発光ダイオード２ｂは点滅し、制御回路部４の制御に基づくスイッチ部５ｃのＯＮ／ＯＦＦに応じて発光ダイオード２ｃは点滅する）、放電部１に帯電した静電気によって生じる電圧を検知し、検知された電圧が予め定められた電圧（放電開始電圧又は放電開始電圧付近の電圧が望ましい）以上になった場合に制御回路部４を起動してスイッチ部５のＯＮ／ＯＦＦを制御回路部４から制御させ発光ダイオード２の発光を制御する電圧検知部６から構成され、絶縁材料であるケースＡの内部に固定されている。
【００４０】
図１（ｂ）の構成において、図１（ａ）と異なる部分は電圧検知部６が存在する点である。電圧検知部６は上述したように、制御回路部４の動作を開始させたり、制御回路部４の動作を停止させたりする。
具体的には、放電部１に帯電した静電気によって生じた電圧が予め定められた電圧（放電開始電圧又は放電開始電圧付近の電圧が望ましい）以下の場合には、電圧検知部６は制御回路部４へ制御回路部４が動作することを禁止する信号を出力する。したがって、この場合にはスイッチ部５がＯＮ状態となることはないので発光ダイオード２も消灯した状態になる。
【００４１】
放電部１に帯電した静電気によって生じた電圧が予め定められた電圧（放電開始電圧又は放電開始電圧付近の電圧が望ましい）以上の場合には、電圧検知部６は制御回路部４へ制御回路部４が動作することを許可する信号（動作許可信号）を出力する。したがって、この場合にはスイッチ部５がＯＮ状態となる場合があり、その場合には発光ダイオード２も点灯した状態になる。
制御回路部４は、電圧検知部６から動作許可信号を受け取ると、予め定められていたパターンでスイッチ部５ａ、５ｂ及び５ｃのＯＮ／ＯＦＦを制御する。発光ダイオード２ａは制御回路部４の制御によってスイッチ部５ａがＯＮ状態になった場合に点灯（発光）する。同様に、発光ダイオード２ｂは制御回路部４の制御によってスイッチ部５ｂがＯＮ状態になった場合に点灯（発光）し、発光ダイオード２ｃは制御回路部４の制御によってスイッチ部５ｃがＯＮ状態になった場合に点灯（発光）する。
発光ダイオード２ａ、２ｂ及び２ｃの発光パターンは任意に設定されることができる。
【００４２】
例えば、三つの発光ダイオード２ａ、２ｂ及び２ｃを一列に物理的に配置（四つ以上の発光ダイオードを並べてもよい。）し、隣り合う二つ以上の発光ダイオードを端から順番に点灯させ隣の発光ダイオードが点灯したらこれまで点灯していた発光ダイオードの発光を止めるなどの点滅パターンを形成することができる。（発光ダイオードが発光ダイオード２ａ、２ｂ、２ｃの順番に一列に並んでいる場合には、一番端の発光ダイオード２ａが発光し、人間が目視によって発光ダイオード２ａの発光を確認できる時間または人間が視認するために充分な時間（一例として０．５秒間を予め定められた時間と設定することができる。）発光を続けた後に消灯し、隣の発光ダイオード２ｂが発光した後に消灯（点滅）し、その後に発光ダイオード２ｂの隣の発光ダイオード２ｃが発光した後に消灯（点滅）すれば、発光しているポイントが次々と移動していくので、人間の目による放電の有無（発光ダイオード２が発光していること）の確認がより容易になる。
【００４３】
また、所定の時間、一列に並んだ発光ダイオードの上記点滅の移動を繰り返す（一列に並んだ発光ダイオードの上記一回目の点滅（一列に並んだ発光ダイオードの端から端に点滅が移動すること）が終了したら、更に同様に、一列の端から端に発光ダイオードの上記点滅を行い、この点滅の繰り返しを必要な回数繰り返す。）ことによって更に容易に人間の目による放電の有無（発光ダイオード２が発光していること）の確認が容易になる。また、繰り返しの途中の発光ダイオードで点滅を終了させるパターンでも同様の効果を得ることができる。さらに、二つ以上の発光ダイオードの発光色を異なるように構成した場合、また、二つ以上の発光手段を交互に点滅させるパターンとした場合であっても、人間の目による視認性をより一層向上させることが可能になる。
【００４４】
また、発光ダイオード２の発光時間または点滅時間を電圧検知部１で検知した放電部１の電圧に対応して長くし、または短くすることで容易に人体に帯電した電荷量及び放電量を確認することが可能になる。たとえば、帯電した電荷量が多く検知電圧が大きい場合には、発光ダイオード２の発光時間または点滅時間を長くし、帯電した電荷量が少なく検知電圧が小さい場合には、発光ダイオード２の発光時間または点滅時間を短くすることで、容易に人体に帯電した電荷量及び放電量を視認することが可能になる。発光ダイオード２の発光時間または点滅時間の制御は制御回路部４が行う。
このように静電気除去器Ｒにおいて、制御回路部４が、バリスタによって電荷が放電された後も予め定められた期間（通常は、数秒間である）にわたって発光ダイオード２を発光させることによって人間の目による視認性をより一層向上させることが可能になる。
【００４５】
また上記実施形態の静電気除去器Ｒによれば、静電気の放電がわずかな時間であっても、制御回路部４が発光ダイオード２からの発光を人間が視認できる間だけ発光を維持するように構成されているので、確実に人間の目によって放電の有無を確認することができるようになる。予め定められた時間は制御回路部４内における各素子（抵抗器、コンデンサ等）の値によって決まる固定値（抵抗器、コンデンサの組み合わせによる充放電時間）であったり、制御回路部４内に組み込まれた回路構成（マルチバイブレータによるＯＮ／ＯＦＦ時間制御、または、タイマーが含まれていてもよい）であったり、制御回路内に組み込まれたプログラムであってもよい。
【００４６】
次に図２について説明する。
図２は本考案の実施形態の静電気除去器Ｒの外観を示す図である。静電気除去回路ＣはケースＡによって覆われている（静電気除去回路ＣはケースＡによって密封されていることが好ましいが、密封されていない状態でもかまわない）。
静電気除去回路Ｃを密閉するケースＡを形成する絶縁材料には、上述したように、汎用性樹脂が使用できる。具体的には、ポリエチエン、ポリプロピレン、ポリアミド、ポリスチレン、ポリエステル、ポリウレタン、ポリカーボネート、ポリ塩化ビニール、ポリエポキシ、ポリアクリロニトリル、アクリルニトリル−ブタジエン−スチレン共重合体、アクリルニトリル−スチレン共重合体などの熱可塑性樹脂又は熱硬化性樹脂が挙げられる。ケースＡは、これらの樹脂を射出成形などの方法によって形成することが出来る。
またケースＡは、人間の手によって容易に握られることができるグリップ形状としている。このようにしておけば、人体に帯電した電荷を放電する作業に対する抵抗感を軽減し、放電作業を容易にスムーズに行うことができるものと考えられるからである。
【００４７】
ケースＡにおける凹部Ｂは、人間の手の指が容易に添えられるように形成されたものである。このようにグリップ形状に、手の指の形状に合った溝が構成されていると、より一層握り心地がよくなり、ヒューマンインターフェースに優れた静電気除去器Ｒを提供することができる。また凸部Ｄは隣り合う手の指と指とが接触しないように形成された形状であって、握り易さを向上させるために設けられている。なお、凹部Ｂ及び凸部Ｄは大人の標準的な（或いは平均的な）手の大きさ及び手の指の大きさに基づいて形成されてもよいし、大人の女性の標準的な（或いは平均的な）手の大きさ及び手の指の大きさに基づいて形成されてもよいし、大人の男性の標準的な（或いは平均的な）手の大きさ及び手の指の大きさに基づいて形成されてもよいし、右利き、左利き用に形成されてもよい。
【００４８】
また、静電気除去回路Ｃ（または静電気除去回路Ｃが形成された基板（図示せず））はケースＡと一体に形成されてもよいし、ケースＡに空洞（図示せず）を形成しておき、その空洞に静電気除去回路Ｃが形成された基板を挿入した後にケースＡのキャップ部分（図示せず）を嵌合・ネジ止め等させてもよいし、ケースＡの空洞部分に静電気除去回路Ｃが形成された基板が嵌合する溝が形成されてケースＡのキャップ部分（図示せず）を嵌合・ネジ止め等させてもよい。
【００４９】
次に図３について説明する。
図３は他の実施形態における静電気除去器の外観を示す図であり、静電気除去器Ｒにカギ保持具Ｈを取り付けた状態を示す。
カギ保持具Ｈには、市販のカギ（自動車、バイク、住宅等のドア等のカギ）を保持するための差し込み部（図示せず）が形成されており、市販のカギをカギ保持具Ｈに容易に固定できるようになっている。一例として、差し込み部が市販のカギを差し込める切り口と奥行きを有するゴム状の物体であれば、市販のカギは差し込み部に差し込まれると同時にゴム状の物体で市販カギの握り部分Ｋ１の上下面が押圧され容易に差し込み部に固定される。さらにこのカギ保持具Ｈは、やや伸縮性を有する樹脂製またはゴム製のバンド体とすることも可能である。
【００５０】
また、カギ保持具ＨまたはケースＡにはライトＬ及び電池（図示せず）が一体となって取り付けられており、暗闇においても市販のカギＫを自動車、バイク、住宅等のドアに容易に差し込む事が可能になっている。それは、ライトＬがカギ（又はキー）の差込方向に向かって照射可能に取り付けられ、ライトＬがカギ保持具ＨまたはケースＡに固定されたオン／オフスイッチＳ（ライトＬから光を照射または消灯するためのスイッチ）によって制御されるからである。スイッチＳの一例として図３にはスライドスイッチを示しているがスイッチの形態はこれに限定されるわけではなく、押しボタンスイッチ、トグルスイッチ、回転スイッチ等の小型のあらゆる種類のスイッチを取り付けることが可能である。
また、カギ保持具ＨまたはケースＡに取り付けられる電池は、一次電池だけではなく、二次電池でもよく、また、カギ保持具ＨまたはケースＡから着脱可能または着脱不可能に取り付けられていてもよい。
【００５１】
このような構成にしておくことで、車のエンジンをかける場合にわざわざ静電気除去器Ｒに人体の一部を接触させる必要がなく、使い勝手のよい（ヒューマンインターフェースに優れた）静電気除去器Ｒを提供することができるようになる。また、カギ保持部Ｋにドアのカギなどを差し込んで保持させておけば、ドアを開ける場合にカギを握ろうとすれば必然的に静電気除去器Ｒに触れ、人体に帯電した静電気がカギを開ける前に、自然に放電されるので、より使い勝手がよく、より利便性の高い（ヒューマンインターフェースにより優れた）静電気除去器Ｒを提供することができるようになる。
【００５２】
また、前記カギ保持具ＨまたはケースＡには、前記カギの差込方向に向かって照射可能なライトが取り付けられ、前記ライトは前記カギ保持具ＨまたはケースＡに固定されたスイッチによってオン／オフ制御されるので、暗闇においてカギをドアに差し込む場合にも容易にカギの差し込み口がわかるので、より使い勝手がよく、より利便性の高い（ヒューマンインターフェースのより優れた）静電気除去器を提供することができるようになる。
なお、本考案は上記実施形態に限定されるものではなく、本考案の要旨の範囲内において種々変更可能である。
【産業上の利用可能性】
【００５３】
本考案の静電気除去器は、静電気の発生に悩むすべての人々に利用されることができ、それをかぎと一緒に携帯することで利用範囲が著しく高まることとなる。
【図面の簡単な説明】
【００５４】
【図１】（ａ）は、本考案の実施形態の静電気除去回路の一例を示すブロック図であり、（ｂ）は、本考案の実施形態の他の一例を示す静電気除去回路のブロック図である。
【図２】本考案の実施形態の静電気除去器の外観を示す図である。
【図３】他の実施形態における静電気除去器の外観を示す図である。
【符号の説明】
【００５５】
１ … 放電部
２ … 発光ダイオード
３ … 電池部
４ … 制御回路部
５ … スイッチ部
６ … 電圧検知部
Ａ … ケース
Ｂ … 凹部
Ｃ … 静電気除去回路
Ｄ … 凸部
Ｈ … かぎ保持具
Ｋ … カギ
Ｌ … ライト
Ｒ … 静電気除去器
Ｓ … スイッチ
【図１】
0003140620.tif 000003
【図２】
0003140620.tif 000004
【図３】
0003140620.tif 000005